【手続補正書】
【提出日】平成22年5月25日(2010.5.25)
【手続補正１】
【補正対象書類名】明細書
【補正対象項目名】００３５
【補正方法】変更
【補正の内容】
【００３５】
連結部２７は、柱部２４の内部空間に位置しており、箱体２７１と多数のローラとで構成されている。図７は図６のVII−VII断面矢視図である。箱体２７１の底板２７１１には、チェーン２４６が固定された固定部２４６１とチェーン２４６が通過する貫通孔２４６２とが形成されている。箱体２７１の天板２７１２には、チェーン２４６が通過する貫通孔（図示せず）が２個形成されている。箱体２７１の両側板２７１３、２７１４には、それぞれ６個のローラが設けられている。側板２７１３において、上部にはローラ２７Ａ、２７Ｂ、２７Ｃが設けられ、下部にはローラ２７Ｄ、２７Ｅ、２７Ｆが設けられている。ローラ２７Ａ、２７Ｂは、レール２４４に両側から当接している。ローラ２７Ｃは、箱体２７１のフランジ２７１５に設けられており、縦板２４１の内面２４１１に当接している。ローラ２７Ｄ、２７Ｅは、レール２４４に両側から当接している。ローラ２７Ｆは、箱体２７１のフランジ２７１５に設けられており、縦板２４１の内面２４１１に当接している。側板２７１４においても、同様に、６個のローラ２７Ａ、２７Ｂ、２７Ｃ、２７Ｄ、２７Ｅ、２７Ｆが設けられている。すなわち、ローラ２７Ａ、２７Ｂは、レール２４５に両側から当接している。ローラ２７Ｃは、箱体２７１のフランジ２７１６に設けられており、縦板２４２の内面２４２１に当接している。ローラ２７Ｄ、２７Ｅは、レール２４５に両側から当接している。ローラ２７Ｆは、箱体２７１のフランジ２７１６に設けられており、縦板２４２の内面２４２１に当接している。
【手続補正２】
【補正対象書類名】明細書
【補正対象項目名】００３８
【補正方法】変更
【補正の内容】
【００３８】
図１２及び図１３は受板４１１と処理容器９との関係を示す縦断面図である。処理容器９は、導電性の基板９３と、非導電性の底板９４と、電極リング９１と、カバー９５とを、この順に下から重ねて、電極リング９１を貫通するボルト９６によって一体化して構成されるとともに、処理容器９の内から外へ表面処理液を流出させる流出機構を有している。電極リング９１は、垂直回転軸４２１、基板９３、及びボルト９６を経て、通電可能となっている。すなわち、垂直回転軸４２１、基板９３、及びボルト９６によって、電極リング９１へ通電させるための通電機構が構成されている。そして、表面処理装置４は、ワークを収容した処理容器９を回転させてワークを電極リング９１へ接触させながら、且つ、表面処理液を流出機構を介して処理容器９の内から外へ流通させながら、処理容器９内の表面処理液に電極（図示せず）から通電することによって、ワークに表面処理を施すようになっている。流出機構として、底板９４と電極リング９１との間に構成した間隙通路を採用している。間隙通路は、底板９４と電極リング９１との間の円周方向適当間隔置きに、同じ大きさの樹脂製のシート部材９２を配置して、該シート部材９２を底板９４と電極リング９１とで挟むことによって、隣接するシート部材９２間に構成されている。
【手続補正３】
【補正対象書類名】明細書
【補正対象項目名】００４９
【補正方法】変更
【補正の内容】
【００４９】
ホッパ５２は、拡開された受入部５２１と、筒状の本体部５２２と、傾斜した排出部５２６と、排出口５２３と、スプリンクラー５２５と、を有している。排出口５２３は、外側から、蓋５２４によって開閉自在に塞がれている。蓋５２４は、排出部５２６に設けられた軸を中心として回動して開閉するようになっている。蓋５２４は、蓋５２４と本体部５２２との間に掛け渡されたバネ５２９によって、常時閉状態となるよう付勢されている。蓋５２４が常時閉状態となるよう付勢されているので、蓋５２４を開けるまでは、ワークがホッパ５２から出ることはなく、したがって、全てのワークを回収槽５４に確実に回収することができる。スプリンクラー５２５は、本体部５２２側から受入部５２１側へ向けて洗浄水を噴出するように、設けられている。ホッパ５２は、ホッパ５２を、矢印（図１７）に示されるように、９０度回動させて処理容器９に装着するための、回動機構５５を備えている。図１７は非装着状態のホッパ５２を示し、図１８は装着状態のホッパ５２を示している。ホッパ５２は、装着状態においては、受板５１に載せられた処理容器９を上方から軽く押さえ付けている。なお、受入部５２１、本体部５２２、及び排出部５２６の、内面は、鏡面研磨されているので、全てのワークをホッパ５２内から円滑に滑り落とすことができ、したがって、全てのワークを回収槽５４に確実に回収することができる。
【手続補正４】
【補正対象書類名】明細書
【補正対象項目名】００５０
【補正方法】変更
【補正の内容】
【００５０】
回動機構５５は、Ｌ形アーム５５１と、水平な回動軸５５２と、回動軸５５２を回動させるシリンダ機構５５３と、を備えている。Ｌ形アーム５５１の一端は、ホッパ５２に側方から連結されており、他端は、回動軸５５２に固定されている。回動軸５５２は、アーム５５４を介して、シリンダ機構５５３のロッド５５３１の先端に連結されている。アーム５５４は、ロッド５５３１に回動自在に連結されている。図１７においては、ロッド５５３１は後退した状態にある。回動機構５５は、ロッド５５３１を前進させることにより、アーム５５４を介して、回動軸５５２を回動させ、それに伴って、ホッパ５２を、矢印に示されるように、回動させる。なお、ホッパ５２の受入部５２１は、ホッパ５２が回動すると、処理容器９の開口９５１に密着するようになっている。したがって、処理容器９及びホッパ５２が反転する際に、ワークが漏出するのを防止でき、それ故、全てのワークを回収槽５４に確実に回収することができる。
【手続補正５】
【補正対象書類名】明細書
【補正対象項目名】００５１
【補正方法】変更
【補正の内容】
【００５１】
反転機構５３は、回動軸５３１と、回動軸５３１を駆動するモータ（図示せず）と、を備えている。上述したホッパ５２及び回動機構５５と、受板５１とは、回動軸５３１に固定されている。反転機構５３は、回動軸５３１を回動させることにより、受板５１、処理容器９、及び装着状態のホッパ５２を、矢印（図１８）に示されるように、反転させる。
【手続補正６】
【補正対象書類名】明細書
【補正対象項目名】００７６
【補正方法】変更
【補正の内容】
【００７６】
（G-3）処理工程
次に、供給機構４４において、垂直柱４４１が水平に移動した後、アーム４４２が下降して、ヘッド部４４５が、受板４１１上の処理容器９の開口９５１中に位置する。
次に、供給機構４４の剥離液供給管４４３から処理容器９内に剥離液が投入されるとともに、回転駆動機構４２が作動して、処理容器９が回転する。また、カバー体４１３の吸気機構４８が作動して、吸気口４８２から吸気が行われる。これにより、処理容器９の内面への付着物（例えばめっき被膜）が剥離される。一定時間後、剥離液の供給は停止されるが、処理容器９は回転を続ける。これにより、脱液処理が行われる。そして、処理容器９の回転が停止する。
【手続補正７】
【補正対象書類名】明細書
【補正対象項目名】００８７
【補正方法】変更
【補正の内容】
【００８７】
（３）図２４に示されるように、第１実施形態の各装置３、４、５、６、７を平面視円形に配置してもよい。この場合の搬送装置２は、図２５に示されるように、回動ポール２９１と、アーム２９２と、アーム２９２の昇降機構２９３と、アーム２９２の先端に設けられ、処理容器９を保持するための、保持部２９と、を備えている。搬送装置２は、回動ポール２９１を回動させて、アーム２９２を回動させることにより、保持部２９に保持した処理容器９を、各装置３、４、５、６、７に搬送するようになっている。昇降機構２９３は、アーム２９２を昇降させることにより、保持部２９に保持した処理容器９を昇降させるようになっている。